(57)【要約】  ワイヤレス通信のための方法、システム、およびデバイスについて説明する。アクセスポイント(AP)は、フィードバック信号対雑音比(SNR)と、変調およびコーディング方式(MCS)に基づくSNRとに基づいて、ワイヤレスデバイスのためのシングルユーザバイアスを決定し得る。APはまた、フィードバックSNR、シングルユーザバイアス、マルチユーザ損失、およびグループバイアスに基づいて、ワイヤレスデバイスのためのマルチユーザSNRを決定し得る。次いで、APは、マルチユーザSNRに基づいて、更新されたMCSを選択し得る。場合によっては、APは、基準信号をワイヤレスデバイスに送信し、基準信号に基づくワイヤレスデバイスからの圧縮ビームフォーミングフィードバック報告を受信し得る。フィードバックSNRは、圧縮ビームフォーミングフィードバック報告に基づき得る。APはまた、しきい値を満たすチャネル相関をもつグループのブラックリストを維持し、それらのグループを一緒にスケジューリングすることを控え得る。
2018534821.tif 000002
【特許請求の範囲】
【請求項１】
マルチユーザ多入力多出力(MU-MIMO)動作を利用するシステムにおけるワイヤレス通信の方法であって、
フィードバック信号対雑音比(SNR)とレート制御SNRとの間の差分に少なくとも部分的に基づいて、ワイヤレスデバイスのためのシングルユーザバイアスを決定するステップであって、前記フィードバックSNRが、前記MU-MIMO動作に関連付けられた圧縮ビームフォーミングフィードバック報告に少なくとも部分的に基づき、前記レート制御SNRが、第1の変調およびコーディング方式(MCS)に少なくとも部分的に基づく、ステップと、
前記シングルユーザバイアスと、前記MU-MIMO動作のマルチユーザグループに関連付けられた1つまたは複数のパラメータとに少なくとも部分的に基づいて、マルチユーザSNRを決定するステップと、
前記マルチユーザSNRに少なくとも部分的に基づいて、第2のMCSを選択するステップと
を含む方法。
【請求項２】
基準信号を前記ワイヤレスデバイスに送信するステップと、
前記基準信号に少なくとも部分的に基づく前記ワイヤレスデバイスからの前記圧縮ビームフォーミングフィードバック報告を受信するステップと
をさらに含む、請求項1に記載の方法。
【請求項３】
前記1つまたは複数のパラメータがしきい値を超えると決定するステップと、
前記1つまたは複数のパラメータが前記しきい値を超えるとの前記決定に少なくとも部分的に基づいて、前記マルチユーザグループをスケジューリングすることを控えるステップと
をさらに含む、請求項1に記載の方法。
【請求項４】
前記マルチユーザグループを含むブラックリストを維持するステップと、
前記ブラックリスト内のいくつかのグループがリストしきい値を超えると決定するステップと、
前記マルチユーザグループが前記ブラックリストに入れられた順序に少なくとも部分的に基づいて、前記マルチユーザグループを前記ブラックリストから除去するステップと
をさらに含む、請求項3に記載の方法。
【請求項５】
前記第2のMCSに少なくとも部分的に基づいて、メッセージを前記ワイヤレスデバイスに送信するステップ
をさらに含む、請求項1に記載の方法。
【請求項６】
前記シングルユーザバイアスが、前のシングルユーザバイアスと、忘却パラメータに従って重み付けされた、更新されたシングルユーザバイアス推定値との組合せに少なくとも部分的に基づく、請求項1に記載の方法。
【請求項７】
前記第1のMCSが、前記ワイヤレスデバイスとの通信について検出されたパケットエラーレートに少なくとも部分的に基づく、請求項1に記載の方法。
【請求項８】
前記マルチユーザSNRが、マルチユーザグループ化損失に少なくとも部分的に基づく、請求項1に記載の方法。
【請求項９】
前記1つまたは複数のパラメータが、前記マルチユーザグループのパケットエラーレートに少なくとも部分的に基づくグループバイアスを含む、請求項1に記載の方法。
【請求項１０】
前記1つまたは複数のパラメータが、前のグループバイアスと忘却パラメータとに少なくとも部分的に基づくグループバイアスを含む、請求項1に記載の方法。
【請求項１１】
ワイヤレス通信のための装置であって、
フィードバック信号対雑音比(SNR)とレート制御SNRとの間の差分に少なくとも部分的に基づいて、ワイヤレスデバイスのためのシングルユーザバイアスを決定するための、シングルユーザバイアス構成要素であって、前記フィードバックSNRが、MU-MIMO動作に関連付けられた圧縮ビームフォーミングフィードバック報告に少なくとも部分的に基づき、前記レート制御SNRが、第1のMCSに少なくとも部分的に基づく、シングルユーザバイアス構成要素と、
前記シングルユーザバイアスと、前記MU-MIMO動作のマルチユーザグループに関連付けられた1つまたは複数のパラメータとに少なくとも部分的に基づいて、マルチユーザSNRを決定するための、マルチユーザSNR構成要素と、
前記マルチユーザSNRに少なくとも部分的に基づいて、第2のMCSを選択するための、変調およびコーディング方式構成要素と
を備える装置。
【請求項１２】
基準信号を前記ワイヤレスデバイスに送信するための基準信号構成要素と、
前記基準信号に少なくとも部分的に基づく前記ワイヤレスデバイスからの前記圧縮ビームフォーミングフィードバック報告を受信するための、フィードバック構成要素と
をさらに備える、請求項11に記載の装置。
【請求項１３】
前記1つまたは複数のパラメータがしきい値を超えると決定するためのグループバイアス構成要素と、
前記1つまたは複数のパラメータが前記しきい値を超えるとの前記決定に少なくとも部分的に基づいて、前記マルチユーザグループをスケジューリングすることを控えるための、ブラックリスト構成要素と
をさらに備える、請求項11に記載の装置。
【請求項１４】
前記マルチユーザグループを含むブラックリストを維持するための、前記ブラックリスト構成要素と、
前記ブラックリスト内のいくつかのグループがリストしきい値を超えると決定するための、前記ブラックリスト構成要素と、
前記マルチユーザグループが前記ブラックリストに入れられた順序に少なくとも部分的に基づいて、前記マルチユーザグループを前記ブラックリストから除去するための、前記ブラックリスト構成要素と
をさらに備える、請求項13に記載の装置。
【請求項１５】
ワイヤレス通信のための装置であって、
フィードバック信号対雑音比(SNR)とレート制御SNRとの間の差分に少なくとも部分的に基づいて、ワイヤレスデバイスのためのシングルユーザバイアスを決定するための手段であって、前記フィードバックSNRが、MU-MIMO動作に関連付けられた圧縮ビームフォーミングフィードバック報告に少なくとも部分的に基づき、前記レート制御SNRが、第1のMCSに少なくとも部分的に基づく、手段と、
前記シングルユーザバイアスと、前記MU-MIMO動作のマルチユーザグループに関連付けられた1つまたは複数のパラメータとに少なくとも部分的に基づいて、マルチユーザSNRを決定するための手段と、
前記マルチユーザSNRに少なくとも部分的に基づいて、第2のMCSを選択するための手段と
を備える装置。
【請求項１６】
基準信号を前記ワイヤレスデバイスに送信するための手段と、
前記基準信号に少なくとも部分的に基づく前記ワイヤレスデバイスからの前記圧縮ビームフォーミングフィードバック報告を受信するための手段と
をさらに備える、請求項15に記載の装置。
【請求項１７】
前記1つまたは複数のパラメータがしきい値を超えると決定するための手段と、
前記1つまたは複数のパラメータが前記しきい値を超えるとの前記決定に少なくとも部分的に基づいて、前記マルチユーザグループをスケジューリングすることを控えるための手段と
をさらに備える、請求項15に記載の装置。
【請求項１８】
前記マルチユーザグループを含むブラックリストを維持するための手段と、
前記ブラックリスト内のいくつかのグループがリストしきい値を超えると決定するための手段と、
前記マルチユーザグループが前記ブラックリストに入れられた順序に少なくとも部分的に基づいて、前記マルチユーザグループを前記ブラックリストから除去するための手段と
をさらに備える、請求項17に記載の装置。
【請求項１９】
前記第2のMCSに少なくとも部分的に基づいて、メッセージを前記ワイヤレスデバイスに送信するための手段
をさらに備える、請求項15に記載の装置。
【請求項２０】
前記シングルユーザバイアスが、前のシングルユーザバイアスと、忘却パラメータに従って重み付けされた、更新されたシングルユーザバイアス推定値との組合せに少なくとも部分的に基づく、請求項15に記載の装置。
【請求項２１】
前記第1のMCSが、前記ワイヤレスデバイスとの通信について検出されたパケットエラーレートに少なくとも部分的に基づく、請求項15に記載の装置。
【請求項２２】
前記マルチユーザSNRが、マルチユーザグループ化損失に少なくとも部分的に基づく、請求項15に記載の装置。
【請求項２３】
前記1つまたは複数のパラメータが、前記マルチユーザグループのパケットエラーレートに少なくとも部分的に基づくグループバイアスを含む、請求項15に記載の装置。
【請求項２４】
前記1つまたは複数のパラメータが、前のグループバイアスと忘却パラメータとに少なくとも部分的に基づくグループバイアスを含む、請求項15に記載の装置。
【請求項２５】
ワイヤレス通信のためのコードを記憶する非一時的コンピュータ可読記録媒体であって、前記コードが、
フィードバック信号対雑音比(SNR)とレート制御SNRとの間の差分に少なくとも部分的に基づいて、ワイヤレスデバイスのためのシングルユーザバイアスを決定することであって、前記フィードバックSNRが、MU-MIMO動作に関連付けられた圧縮ビームフォーミングフィードバック報告に少なくとも部分的に基づき、前記レート制御SNRが、第1のMCSに少なくとも部分的に基づく、決定すること、
前記シングルユーザバイアスと、前記MU-MIMO動作のマルチユーザグループに関連付けられた1つまたは複数のパラメータとに少なくとも部分的に基づいて、マルチユーザSNRを決定すること、および
前記マルチユーザSNRに少なくとも部分的に基づいて、第2のMCSを選択すること
を行うために実行可能な命令を備える、非一時的コンピュータ可読記録媒体。
【請求項２６】
前記命令が、
基準信号を前記ワイヤレスデバイスに送信すること、および
前記基準信号に少なくとも部分的に基づく前記ワイヤレスデバイスからの前記圧縮ビームフォーミングフィードバック報告を受信すること
を行うために実行可能である、請求項25に記載の非一時的コンピュータ可読記録媒体。
【請求項２７】
前記命令が、
前記1つまたは複数のパラメータがしきい値を超えると決定すること、および
前記1つまたは複数のパラメータが前記しきい値を超えるとの前記決定に少なくとも部分的に基づいて、前記マルチユーザグループをスケジューリングすることを控えること
を行うために実行可能である、請求項25に記載の非一時的コンピュータ可読記録媒体。
【請求項２８】
前記命令が、
前記マルチユーザグループを含むブラックリストを維持すること、
前記ブラックリスト内のいくつかのグループがリストしきい値を超えると決定すること、および
前記マルチユーザグループが前記ブラックリストに入れられた順序に少なくとも部分的に基づいて、前記マルチユーザグループを前記ブラックリストから除去すること
を行うために実行可能である、請求項27に記載の非一時的コンピュータ可読記録媒体。
【請求項２９】
前記命令が、
前記第2のMCSに少なくとも部分的に基づいて、メッセージを前記ワイヤレスデバイスに送信すること
を行うために実行可能である、請求項25に記載の非一時的コンピュータ可読記録媒体。
【請求項３０】
前記シングルユーザバイアスが、前のシングルユーザバイアスと、忘却パラメータに従って重み付けされた、更新されたシングルユーザバイアス推定値との組合せに少なくとも部分的に基づく、請求項25に記載の非一時的コンピュータ可読記録媒体。
【発明の詳細な説明】
【技術分野】
【０００１】
相互参照
本特許出願は、本明細書の譲受人に譲渡された、2015年9月25日出願の「Multiple User MIMO Rate Prediction Based on Single User SNR Feedback」という名称のvan Neeらによる米国特許出願第14/866,224号の優先権を主張する。
【０００２】
以下は、概してワイヤレス通信に関し、より詳細には、シングルユーザ(SU)信号対雑音比(SNR)フィードバックに基づくマルチユーザ多入力多出力(MU-MIMO)レート予測に関する。すなわち、変調およびコーディング方式(MCS)において暗黙的なレートは、フィードバック報告に基づいて動的に決定され得る。
【背景技術】
【０００３】
様々なタイプの通信コンテンツを提供するために、ワイヤレス通信システムが広く展開されている。通信コンテンツの例としては、音声、ビデオ、パケットデータ、メッセージング、ブロードキャストなどがあり得る。これらのシステムは、利用可能なシステムリソース(たとえば、時間、周波数、および電力)を共有することによって、複数のユーザとの通信をサポートすることが可能な、多元接続システムであり得る。ワイヤレスネットワーク、たとえば、ワイヤレスフィデリティ(Wi-Fi)(すなわち、米国電気電子技術者協会(IEEE)802.11)ネットワークなどのワイヤレスローカルエリアネットワーク(WLAN)は、1つまたは複数の局(STA)またはモバイルデバイスと通信し得るアクセスポイント(AP)を含み得る。APは、インターネットなどのネットワークに結合されてもよく、モバイルデバイスがネットワークを介して通信する(またはアクセスポイントに結合された他のデバイスと通信する)ことを可能にする場合がある。ワイヤレスデバイスは、ネットワークデバイスと双方向に通信し得る。たとえば、WLANでは、STAは関連付けられたAPとダウンリンク(DL)およびアップリンク(UL)を介して通信してよい。DL(または、順方向リンク)はAPから局への通信リンクを指してもよく、UL(または、逆方向リンク)は局からAPへの通信リンクを指してもよい。
【０００４】
いくつかのワイヤレスシステムでは、APは、1つまたは複数のグループ化されたセットのクライアントデバイスと同時に通信し得る。マルチユーザグループは、変化することがあり、それによって、パケットエラーレート(PER)ベースのレート適応に基づく変調およびコーディング方式(MCS)決定が不正確になり得る。すなわち、マルチユーザMCSは、マルチユーザグループ化に依存し得、したがって、頻繁なグループ化変更は、レート適応ループが不正確になることを引き起こし得る。その上、PERベースのレート適応は、サウンディングフィードバックにおける干渉の存在下で不正確であり得る。
【発明の概要】
【課題を解決するための手段】
【０００５】
マルチユーザ多入力多出力(MU-MIMO)動作を使用して、複数のデバイスと通信するアクセスポイント(AP)は、デバイスのために使用されるコーディングレートにおいて暗黙的な信号対雑音比(SNR)と、フィードバック報告に基づくSNRとの間の差分を表す、ワイヤレスデバイスのためのユーザバイアスを決定し得る。APはまた、デバイスのグループ内で通信する影響を表す、ワイヤレスデバイスのためのマルチユーザSNRを決定し得る。マルチユーザSNRは、フィードバックSNR、シングルユーザバイアス、マルチユーザ損失、およびグループバイアスに基づき得る。次いで、APは、マルチユーザSNRに基づいて、更新された変調およびコーディング方式(MCS)を選択し得る。
【０００６】
場合によっては、APは、基準信号をワイヤレスデバイスに送信し、基準信号に基づくワイヤレスデバイスからの圧縮ビームフォーミングフィードバック報告を受信し得る。フィードバックSNRは、圧縮ビームフォーミングフィードバック報告に基づき得る。APはまた、しきい値を満たすチャネル相関をもつグループのブラックリストを維持し、それらのグループを一緒にスケジューリングすることを控え得る。
【０００７】
ワイヤレス通信の方法について説明する。方法は、フィードバック信号対雑音比(SNR)とレート制御SNRとの間の差分に少なくとも部分的に基づいて、ワイヤレスデバイスのためのシングルユーザバイアスを決定するステップであって、フィードバックSNRが、MU-MIMO動作に関連付けられた圧縮ビームフォーミングフィードバック報告に少なくとも部分的に基づき、レート制御SNRが、第1の変調およびコーディング方式(MCS)に少なくとも部分的に基づく、ステップと、シングルユーザバイアスと、MU-MIMO動作のマルチユーザグループに関連付けられた1つまたは複数のパラメータとに少なくとも部分的に基づいて、マルチユーザSNRを決定するステップと、マルチユーザSNRに少なくとも部分的に基づいて、第2のMCSを選択するステップとを含み得る。
【０００８】
ワイヤレス通信のための装置について説明する。装置は、フィードバック信号対雑音比(SNR)とレート制御SNRとの間の差分に少なくとも部分的に基づいて、ワイヤレスデバイスのためのシングルユーザバイアスを決定するための手段であって、フィードバックSNRが、MU-MIMO動作に関連付けられた圧縮ビームフォーミングフィードバック報告に少なくとも部分的に基づき、レート制御SNRが、第1の変調およびコーディング方式(MCS)に少なくとも部分的に基づく、手段と、シングルユーザバイアスと、MU-MIMO動作のマルチユーザグループに関連付けられた1つまたは複数のパラメータとに少なくとも部分的に基づいて、マルチユーザSNRを決定するための手段と、マルチユーザSNRに少なくとも部分的に基づいて、第2のMCSを選択するための手段とを含み得る。
【０００９】
ワイヤレス通信のためのさらなる装置について説明する。装置は、プロセッサと、プロセッサと電子通信しているメモリと、メモリ内に記憶された命令とを含み得、命令は、プロセッサによって実行されると、フィードバック信号対雑音比(SNR)とレート制御SNRとの間の差分に少なくとも部分的に基づいて、ワイヤレスデバイスのためのシングルユーザバイアスを決定することであって、フィードバックSNRが、MU-MIMO動作に関連付けられた圧縮ビームフォーミングフィードバック報告に少なくとも部分的に基づき、レート制御SNRが、第1の変調およびコーディング方式(MCS)に少なくとも部分的に基づく、決定すること、シングルユーザバイアスと、MU-MIMO動作のマルチユーザグループに関連付けられた1つまたは複数のパラメータとに少なくとも部分的に基づいて、マルチユーザSNRを決定すること、および、マルチユーザSNRに少なくとも部分的に基づいて、第2のMCSを選択することを、装置に行わせるように動作可能である。
【００１０】
ワイヤレス通信のためのコードを記憶する非一時的コンピュータ可読媒体について説明する。コードは、フィードバック信号対雑音比(SNR)とレート制御SNRとの間の差分に少なくとも部分的に基づいて、ワイヤレスデバイスのためのシングルユーザバイアスを決定することであって、フィードバックSNRが、MU-MIMO動作に関連付けられた圧縮ビームフォーミングフィードバック報告に少なくとも部分的に基づき、レート制御SNRが、第1の変調およびコーディング方式(MCS)に少なくとも部分的に基づく、決定すること、シングルユーザバイアスと、MU-MIMO動作のマルチユーザグループに関連付けられた1つまたは複数のパラメータとに少なくとも部分的に基づいて、マルチユーザSNRを決定すること、および、マルチユーザSNRに少なくとも部分的に基づいて、第2のMCSを選択することを、行うために実行可能な命令を含み得る。
【００１１】
本明細書で説明する方法、装置、または非一時的コンピュータ可読媒体のいくつかの例は、基準信号をワイヤレスデバイスに送信すること、および、基準信号に少なくとも部分的に基づくワイヤレスデバイスからの圧縮ビームフォーミングフィードバック報告を受信することを行うためのプロセス、特徴、手段、または命令をさらに含み得、フィードバックSNRは、圧縮ビームフォーミングフィードバック報告に少なくとも部分的に基づく。追加または代替として、いくつかの例は、1つまたは複数のパラメータがしきい値を超えると決定すること、および、1つまたは複数のパラメータがしきい値を超えるとの決定に少なくとも部分的に基づいて、マルチユーザグループをスケジューリングすることを控えることを行うためのプロセス、特徴、手段、または命令を含み得る。
【００１２】
本明細書で説明する方法、装置、または非一時的コンピュータ可読媒体のいくつかの例は、マルチユーザグループを含むブラックリストを維持すること、ブラックリスト内のいくつかのグループがリストしきい値を超えると決定すること、および、マルチユーザグループがブラックリストに入れられた順序に少なくとも部分的に基づいて、マルチユーザグループをブラックリストから除去することを行うためのプロセス、特徴、手段、または命令をさらに含み得る。追加または代替として、いくつかの例は、第2のMCSに少なくとも部分的に基づいて、メッセージをワイヤレスデバイスに送信することを行うためのプロセス、特徴、手段、または命令を含み得る。
【００１３】
本明細書で説明する方法、装置、または非一時的コンピュータ可読媒体のいくつかの例では、シングルユーザバイアスは、前のシングルユーザバイアスと、忘却パラメータに従って重み付けされた、更新されたシングルユーザバイアス推定値との組合せに少なくとも部分的に基づく。追加または代替として、いくつかの例では、第1のMCSは、ワイヤレスデバイスとの通信について検出されたパケットエラーレート(PER)に少なくとも部分的に基づく。
【００１４】
本明細書で説明する方法、装置、または非一時的コンピュータ可読媒体のいくつかの例では、マルチユーザSNRは、マルチユーザグループ化損失に少なくとも部分的に基づく。追加または代替として、いくつかの例では、1つまたは複数のパラメータは、マルチユーザグループのパケットエラーレートに少なくとも部分的に基づくグループバイアスを含む。
【００１５】
本明細書で説明する方法、装置、または非一時的コンピュータ可読媒体のいくつかの例では、1つまたは複数のパラメータは、前のグループバイアスと忘却パラメータとに少なくとも部分的に基づくグループバイアスを含む。
【００１６】
本開示の態様について、以下の図を参照しながら説明する。
【図面の簡単な説明】
【００１７】
【図１】本開示の様々な態様に従って構成された、SU信号対雑音比(SNR)フィードバックに基づくMU-MIMOレート予測のための、ワイヤレスローカルエリアネットワーク(WLAN)100(ワイヤレスフィデリティ(Wi-Fi)ネットワークとしても知られる)を示す図である。
【図２】本開示の様々な態様による、SU SNRフィードバックに基づくMU-MIMOレート予測をサポートするワイヤレス通信サブシステムの一例を示す図である。
【図３】本開示の様々な態様による、SU SNRフィードバックに基づくMU-MIMOレート予測をサポートするプロセスフローの一例を示す図である。
【図４】本開示の様々な態様による、SU SNRフィードバックに基づくMU-MIMOレート予測をサポートするワイヤレスデバイスのブロック図である。
【図５】本開示の様々な態様による、SU SNRフィードバックに基づくMU-MIMOレート予測をサポートするワイヤレスデバイスのブロック図である。
【図６】本開示の様々な態様による、SU SNRフィードバックに基づくMU-MIMOレート予測をサポートするワイヤレスデバイスのブロック図である。
【図７】本開示の様々な態様による、SU SNRフィードバックに基づくMU-MIMOレート予測をサポートするAPを含むシステムのブロック図である。
【図８】本開示の様々な態様による、SU SNRフィードバックに基づくMU-MIMOレート予測のための方法を示す図である。
【図９】本開示の様々な態様による、SU SNRフィードバックに基づくMU-MIMOレート予測のための方法を示す図である。
【図１０】本開示の様々な態様による、SU SNRフィードバックに基づくMU-MIMOレート予測のための方法を示す図である。
【図１１】本開示の様々な態様による、SU SNRフィードバックに基づくMU-MIMOレート予測のための方法を示す図である。
【図１２】本明細書で説明するSU SNRフィードバックに基づくMU-MIMOレート予測のためのプロセスフローを示す図である。
【発明を実施するための形態】
【００１８】
いくつかのワイヤレスシステムでは、マルチユーザ多入力多出力(MU-MIMO)グループ識別情報(ID)オーバーローディングが、ユーザグループの頻繁な変更を生じることがある。MU-MIMO動作における局またはアクセスポイント(AP)によって到達された信号対干渉プラス雑音比/変調およびコーディング方式(SINR/MCS)は、実際のユーザグループ化に依存し得るので、頻繁なグループ化変更は、レート適応ループが不正確になることを引き起こし得る。たとえば、MCSは、デバイスがもはや関連付けられていないグループのパケットエラーレート(PER)に依存し得る。加えて、PERベースのレート適応は、グループ内の他のデバイスからのサウンディングフィードバックに基づく干渉の存在下で不正確であり得る。
【００１９】
圧縮ビームフォーミングフィードバック(CBF)報告からのストリーム単位の信号対雑音比(SNR)推定値の使用は、MU-MIMO関連の干渉の影響を低減することに役立つことがあり、大きいチャネル相関と低いMU信号対雑音比(SNR)とをもつMUグループを推定することに役立つことがある。場合によっては、これらのグループは、非効率性を低減するために、ブラックリストに載せられることがある。
【００２０】
以下は、MU-MIMO送信における圧縮ビームフォーミングフィードバック(CBF)報告におけるストリーム単位のシングルユーザ信号対雑音比(SU-SNR)推定値に基づいて、変調およびコーディング方式(MCS)を推定するための方法について説明する。最初に、SNRフィードバックが、(たとえば、前のバイアス推定値と忘却パラメータとを使用して)クライアントバイアスを再帰的に推定するために使用される。次いで、クライアントバイアスが、ビームフォーミンググループの一部として特定のユーザに送信することに関連付けられたMU SNRバイアスを推定するために使用され得る。
【００２１】
場合によっては、APは、事前計算されたマルチユーザ(MU)損失、または適応的に計算されたクライアントバイアスおよびMUグループバイアスを用いて、SU-SNRフィードバックをバイアスし得る。グループバイアスは、PERに基づき得、また、再帰的に決定され得る。予測MU-SNRを使用することによって、次いで、MCSが決定され得る。予測MCSは、PERベースのレート適応を拡張するため、およびしきい値を満たすチャネル相関をもつ不十分なMUグループを予測するために使用され得る。不十分なMUグループは、ある時間期間の間、ブラックリストに載せられ得る。
【００２２】
本開示の態様について、まずワイヤレス通信システムに関して説明する。次いで、グループを決定するための具体例について説明する。本開示のこれらおよび他の態様について、SU信号対雑音比(SNR)フィードバックに基づくMU-MIMOレート予測に関係する装置図、システム図、およびフローチャートによってさらに示し、それらの図を参照しながら説明する。
【００２３】
図1は、本開示の様々な態様に従って構成された、ワイヤレスローカルエリアネットワーク(WLAN)100(ワイヤレスフィデリティ(Wi-Fi)ネットワークとしても知られる)を示す。WLAN100は、AP105と、複数の関連するSTA115とを含み得、STA115は、移動局、携帯情報端末(PDA)、他のハンドヘルドデバイス、ネットブック、ノートブックコンピュータ、タブレットコンピュータ、ラップトップ、ディスプレイデバイス(たとえば、TV、コンピュータモニタなど)、プリンタなどのデバイスを表し得る。AP105および関連する局115は、基本サービスセット(BSS)または拡張サービスセット(ESS)を表し得る。ネットワーク内の様々なSTA115は、AP105を通じて互いに通信することができる。また、WLAN100のBSSを表し得る、AP105のカバレージエリア110も示されている。WLAN100に関連付けられた拡張ネットワーク局(図示せず)は、複数のAP105がESS内で接続されることを可能にし得る、ワイヤードまたはワイヤレス配信システム(DS)に接続され得る。
【００２４】
図1には示されていないが、STA115は、2つ以上のカバレージエリア110の交差部に位置し得、2つ以上のAP105に関連付け得る。単一のAP105およびSTA115の関連するセットは、BSSと呼ばれることがある。ESSは、接続されたBSSのセットである。ESS中のAP105を接続するために、配信システム(DS)(図示せず)が使用されてもよい。場合によっては、AP105のカバレージエリア110は、セクタ(同じく図示せず)に分割され得る。WLAN100は、様々な重複するカバレージエリア110とともに、異なるタイプのAP105(たとえば、メトロポリタンエリア、ホームネットワークなど)を含み得る。2つのSTA115はまた、両方のSTA115が同じカバレージエリア110内にあるか否かにかかわらず、直接ワイヤレスリンク125を介して直接通信し得る。直接ワイヤレスリンク125の例には、Wi-Fi Direct接続、Wi-Fiトンネルドダイレクトリンクセットアップ(TDLS)リンク、および他のグループ接続が含まれ得る。STA115およびAP105は、物理(PHY)層およびメディアアクセス制御(MAC)層のためのWLAN無線およびベースバンドプロトコルに従って通信し得る。他の実装形態では、ピアツーピア接続またはアドホックネットワークがWLAN100内に実装されてもよい。
【００２５】
いくつかのワイヤレスシステムは、複数のアンテナを用いた送信および受信に基づくマルチユーザ構成(すなわち、多入力多出力(MIMO)システム)を有し得る。ワイヤレスシステムは、MIMO技術を利用して、ワイヤレスシステムにおけるパケットスループットを増大させ得る。MIMOシステムにおけるアクセスポイント105は、パイロット信号を利用し、フィードバックを測定して、MIMOシステムにおけるMIMOグループのための送信パラメータを決定するために、MU-MIMOレート予測構成要素130を含み得る。たとえば、アクセスポイントは、フィードバックを使用して、変調およびコーディング方式(MCS)を測定し得る。アクセスポイントは、フィードバックの信号対雑音比(SNR)と、現在のMCS値に対応するSNRとの間の差分を使用して、シングルユーザバイアスを推定し得る。
【００２６】
SNRは、信号における有用な情報と、不規則変動または外部ソースからの干渉との比率を表し得る。バイアスは、現在使用されているMCSにおいて暗黙的なSNRと、フィードバック報告に基づいて計算されたSNRとにおける差分を表し得る。グループ、またはマルチユーザバイアスは、パケットエラーレート(PER)に基づいて計算され得る。シングルユーザバイアスおよびグループバイアスは、マルチユーザ(MU)SNRを推定するために使用され得る。MU-SNRは、MCSを決定するために使用され得、また、ある時間期間の間にスケジューリングを禁止されるべき十分なバイアスをもつMUグループを識別するためにも使用され得る。
【００２７】
レート予測は、マルチユーザ環境に適した変調およびコーディング方式を選択するプロセスを指すことがある。変調は、周期的波形の特性(たとえば、周波数、振幅および位相)を修正することによって、デジタル信号を表すプロセスである。復調は、修正された波形を取り、デジタル信号を生成する。被変調波形は、シンボルとして知られる時間単位に分割され得る。各シンボルは、別個に変調され得る。狭い周波数サブキャリアを使用して、異なるシンボルを送信する、ワイヤレス通信システムでは、変調は、各シンボルの位相と振幅とを変動させることによって達成される。たとえば、2位相シフトキーイング(BPSK)変調方式は、位相オフセットなしで、または180°オフセットを用いて送信される波形の間で反転することによって、情報を搬送する(すなわち、各シンボルが情報の単一のビットを搬送する)。直交振幅変調(QAM)方式では、2つのキャリア信号(同相成分I、および直交成分Qとして知られる)が、90°の位相オフセットを用いて送信され得、各信号は、有限集合から選択された特定の振幅を用いて送信され得る。振幅ビンの数は、各シンボルによって搬送されるビットの数を決定する。たとえば、16QAM方式では、各キャリア信号は、4つの振幅(たとえば、-3、-1、1、3)のうちの1つを有し得、それによって、16個の可能な組合せ(すなわち、4ビット)が生じる。様々な可能な組合せは、コンスタレーションマップとして知られるグラフにおいて表され得、そのグラフでは、I成分の振幅が水平軸上に表され、Q成分が垂直軸上に表される。
【００２８】
したがって、AP105は、フィードバックSNRと、MCSに基づくSNRとに基づいて、STA115のためのシングルユーザバイアスを決定し得る。AP105はまた、フィードバックSNR、シングルユーザバイアス、マルチユーザ損失、およびグループバイアスに基づいて、STA115のためのマルチユーザSNRを決定し得る。次いで、AP105は、マルチユーザSNRに基づいて、更新されたMCSを選択し得る。場合によっては、AP105は、基準信号をワイヤレスデバイスに送信し、基準信号に基づくワイヤレスデバイスからの圧縮ビームフォーミングフィードバック報告を受信し得る。フィードバックSNRは、圧縮ビームフォーミングフィードバック報告に基づき得る。AP105はまた、しきい値を満たすチャネル相関をもつグループのブラックリストを維持し、それらのグループをスケジューリングすることを控え得る。
【００２９】
図2は、SU SNRフィードバックに基づくMU-MIMOレート予測のためのワイヤレス通信サブシステム200の一例を示す。ワイヤレス通信サブシステム200は、AP105-aと、STA115-a、115-b、115-c、115-d、115-e、および115-fとを含み得、これらは、ワイヤレスリンク120を介して通信し得、図1を参照しながら説明した対応するデバイスの例であり得る。
【００３０】
ワイヤレス通信サブシステム200は、複数のアンテナを用いた送信および受信に基づくマルチユーザ構成をサポートし得る。たとえば、ワイヤレス通信サブシステム200は、MIMO技術を利用して、パケットスループットを増大させ得る。AP105-aは、パイロット信号を利用し、フィードバックを測定して、MU-MIMOグループ205-aおよび205-bのための送信パラメータを決定し得る。たとえば、AP105-aは、フィードバックを使用して、MCSを測定し、フィードバックのSNRと、現在のMCS値に対応するSNRとの間の差分を使用して、シングルユーザバイアスを推定し得る。
【００３１】
グループ、またはマルチユーザバイアスは、パケットエラーレート(PER)に基づいて計算され得る。シングルユーザバイアスおよびグループバイアスは、マルチユーザ(MU)SNRを推定するために使用され得る。MU-SNRは、MCSを決定するために使用され得、また、ある時間期間の間にスケジューリングを禁止されるべき十分なバイアスをもつ、MU-MIMOグループ205-aまたはMU-MIMOグループ205-bなど、MU-MIMOグループ205を識別するためにも使用され得る。
【００３２】
マルチユーザグループは、頻繁に変化することがあり、それによって、PERベースのレート適応のMCS決定が不正確になり得る。MU-MCSは、マルチユーザグループ化に依存し得、したがって、頻繁なグループ化変更は、レート適応ループが不正確になることを引き起こし得る。さらに、PERベースのレート適応は、サウンディングフィードバックにおける干渉の存在下で不正確であり得る。
【００３３】
MU-MCS選択において、フィードバック報告から、たとえば、圧縮ビームフォーミングフィードバック(CBF)報告からのストリーム単位のSNR推定値を使用することで、干渉を伴うサウンディングの影響を低減することができる。MU-MCS選択において、CBF報告からのストリーム単位のSNR推定値を使用することで、大きいチャネル相関をもつ(たとえば、チャネル相関がしきい値よりも大きい場合に)低品質のMU-MIMOグループ205を推定することを可能にすることもでき、その場合、大きいチャネル相関は、クロスユーザインターフェース(cross-user interface)、およびしたがって、しきい値を下回るMU-SNRにつながり得る。シングルユーザ、またはクライアントSNRバイアスを推定することが適切であり得、この推定は、開ループレートをフィードバック報告におけるSNRと比較することによって行われ得る。この方法は、MCSをSNRにマッピングするルックアップテーブル(LUT)を利用し得る。
【００３４】
場合によっては、MCS予測は、CBF報告における圧縮チャネルフィードバックに基づき得る。MCS予測が、CBF報告における圧縮チャネルフィードバックに基づく場合、圧縮フィードバックを解凍し、MCS予測のためのメトリックを計算することが適切であり得、この計算は、数百のMUグループごとの複素乗算を伴い得る。
【００３５】
SNRシングルユーザバイアスは、フィードバック報告におけるSNRと、開ループレート制御によって使用されたMCSのためのSNRとの間の差分として計算され得る。MCSとSNRとの間のマッピングは、LUT内に記憶され得る。差分は、複数のフィードバック報告にわたって平均されて、より正確なシングルユーザバイアスが取得され、干渉の影響が低減され得る。
【００３６】
比較的低いデータレートをもついくつかのMCSレベル(たとえば、MCS9)では、正のシングルユーザバイアスを使用することが適切ではないことがある。たとえば、30dBがMCSのための最大可読値である場合、フィードバックSNRは、計算されたバイアスが0として読み取れる場合、実際には30dBと53.75dB(すなわち、最大値)との間であり得る。したがって、いくつかのMCSレベルでは、負バイアスのみが検出され得る。たとえば、フィードバックSNRが27dBであるが、MCSに関連付けられたSNR範囲が30dBで開始する場合。そのようなMCSを使用するときに正バイアスを回避するために、バイアス推定値は、ある値(たとえば、3db)にクリップされ得る。特定のMCSおよびデシベル値が例として使用されるが、他の値もまた使用され得る。
【００３７】
シングルユーザ、またはクライアントバイアスは、次のように公式化され得る。
クライアントバイアス=α(フィードバックSNR-SNR(レート制御MCS))
+(1-α)・クライアントバイアス        (1)
ただし、αは忘却係数であり、ただし、0≦α≦1である。忘却係数αは、干渉の影響を低減するために、シングルユーザバイアスの履歴に対して、フィードバックSNRと、開ループレート制御によって使用されたMCSのSNRとの間の瞬間の差分に重み付けし得る。SNR(レート制御MCS)は、(たとえば、上記で説明したLUTから取得された)開ループレート制御からの現在のMCS値に対応するSNRであり得る。最初のシングルユーザバイアスは、0に設定され得る。
【００３８】
シングルユーザバイアスは、ビームフォーミンググループの一部として特定のSTA115に送信することに関連付けられたMU-SNRバイアスを推定するために使用され得る。これは、事前計算されたマルチユーザ損失と、適応的に計算されたシングルユーザバイアスおよびマルチユーザグループバイアスとを用いて、SU-SNRフィードバックをバイアスすることを含み得る。シングルユーザバイアスは、上記で説明したように、シングルユーザ、またはクライアントバイアスを決定するために使用された同じ計算を使用して、MU-MIMOグループ205における各ユーザについて計算され得る。計算されたシングルユーザバイアスを使用して、予測MU-SNRが計算され得る。予測MU-SNRは、以下によって等式化され得る。
予測MU SNR=
フィードバックSNR-クライアントバイアス-(MU損失+MUグループバイアス)        (2)
【００３９】
予測MU MCSは、LUT内でMCSにマッピングされた予測MU-SNRに基づいて取得され得る。マルチユーザ損失は、たとえば、LUT内に記憶された予測損失であり得る。マルチユーザ損失は、マルチユーザグループの一部として通信する間のユーザの信号損失を表し得る。フィードバックSNRは、ビームフォーミー(すなわち、ビームフォーミングの受信端におけるデバイス)がシングルユーザビームフォーミング(SUBF)のためのV行列を適用する場合、SNRの結果であり得る。平均MU損失は、MU-SNRとSUBF SNRとの間の差分であり得る。
【００４０】
たとえば、4×2マルチユーザ構成の場合、平均MU損失は5dBであり得る。別の例では、4×3マルチユーザ構成では、平均MU損失は9dBであり得る。MU損失は、1つの受信(RX)クライアントと2つの受信(RX)クライアントの両方について同じであり得る。損失は、MCSに依存し得る。たとえば、-36dBc(すなわち、キャリアに対するデシベル)のエラーベクトル振幅(EVM)が与えられると、MCSは、ある構成(たとえば、4×2MU)では6dB損失、および別の構成(たとえば、4×3MU)では11dB損失を与え得る。代替的に、別のチャネルでは、MU損失は、ある構成(たとえば、4×2MU)では3dBであり得、別の構成(たとえば、4×3MU)では5dBであり得る。特定のMIMO構成およびデシベル値が例として使用されるが、他の構成値もまた使用され得る。
【００４１】
マルチユーザグループバイアスは、そのMU-MIMOグループ205について測定されたPER(すなわち、パケット損失のレート)に基づいて適応され得る。マルチユーザグループバイアスもまた、再帰的に決定され得る。すなわち、新しいMUグループバイアスを計算する各段階は、既存のバイアスに依存し得る。グループバイアスは、次のように計算され得る。
MUグループバイアス=β・dGB+(1+β)・MUグループバイアス        (3)
ただし、βは忘却係数であり、ただし、0≦β≦1であり、それによって干渉の影響を低減し得る。最初のMUグループバイアスは、0に設定され得る。予測MU-SNRは、MUグループバイアスを使用して決定され得る。予測MU-SNRを使用することによって、MCSが決定され得る。予測MCSは、PERベースのレート適応を拡張するため、およびしきい値を満たすチャネル相関をもつ低品質のMUグループを予測するために使用され得る。
【００４２】
特定のMU-MIMOグループ205のMUグループバイアスが、あらかじめ決定されたレベルを上回る(すなわち、MU-MIMOグループ205が高いPERを有する)場合、マルチユーザグループは、ブラックリストに載せられたグループであると見なされ得る。いくつかの例では、最近使用されたMU-MIMOグループ205のリストが保たれ得る。リストは、メモリを節約するために、たとえば、64グループに制限され得る。リスト内のMU-MIMOグループ205ごとに、MUグループバイアスが計算され得る。MU-MIMOグループ205をブラックリストに載せることは、MUグループバイアスがあるしきい値(たとえば、8dB)よりも大きくなり得るという条件において発生し得る。ブラックリストに載せられたマルチユーザグループは、ある時間期間の間、スケジューリングを禁止され得る。その時間期間の後、次いで、ブラックリストに載せられたマルチユーザグループは、ブラックリストから除去され、再度スケジューリング可能にされ得る。最近使用されたグループのリストがいっぱいになる場合、最長時間未使用のグループが削除され得、新しいグループがリストに追加され得る。
【００４３】
拡張レート適応は、サウンディング後、最初の物理レイヤコンバージェンスプロシージャ(PLCP)物理プロトコルデータユニット(PPDU)のために、MU-MIMOグループ205における各STA115のための予測マルチユーザMCSを使用することによって発生し得る。予測MU MCSは、PERベースのレート適応ループからのMCSと比較され得る。予測MU MCS値に直接応じたものではなく(すなわち、その値が正確ではない場合)、サウンディング後の最初のPPDUのためのレート適応MCSが保たれ得る。さらに、MCS予測論理が、MUグループバイアスを計算するために使用され得る。MUグループバイアスが、ブラックリストに載せられたグループを示す場合、レート適応ループ内の対応するPERを使用することが適切ではないことがあり、具体的には、レート適応ループにおいて使用されたPER履歴に悪影響を及ぼすことを回避することが適切であり得る。
【００４４】
図3は、本開示の様々な態様による、SU SNRフィードバックに基づくMU-MIMOレート予測のためのプロセスフロー300の一例を示す。プロセスフロー300は、AP105-bとSTA115-gとを含み得、AP105-bおよびSTA115-gは、図1〜図2を参照しながら説明した対応するデバイスの例であり得る。
【００４５】
ステップ305で、AP105-bは、MIMOシステムを通して、STA115-gとの通信を確立し得る。STA115-gは、AP105-bと通信中の、具体的にはMIMO通信中の、いくつかのワイヤレスデバイスのうちの1つであり得る。ステップ310で、AP105-bは、MIMO通信のためのMCSを決定し得る。MCSは、少なくとも部分的に、MIMO通信のデータレートを決定するために使用され得る。MCSは、ステップ305のMIMO通信確立に基づいて決定され得る。
【００４６】
ステップ315で、AP105-bは、基準信号をSTA115-gに送り得る。基準信号は、STA115-gによって受信され得、STA115-gは、AP105-bのためのフィードバック報告を生成し得る。フィードバックは、圧縮ビームフォーミングフィードバック報告であり得る。フィードバック報告は、STA115-gのための信号対雑音比を含み得る。ステップ320で、STA115-gは、フィードバック報告をAP105-bに送り得る。フィードバック報告内の情報は、ステップ315で送られた基準信号に少なくとも部分的に基づき得る。
【００４７】
ステップ325で、AP105-bは、STA115-gのためのシングルユーザバイアスを計算し得る。シングルユーザバイアスは、ステップ320でAP105-bによって受信されたフィードバック報告に基づき得、具体的には、フィードバック報告内に含まれたSNRに基づき得る。シングルユーザバイアスは、少なくとも部分的に、前のバイアス推定値および忘却パラメータに基づき得る。
【００４８】
ステップ330で、AP105-bは、データをSTA115-gに送信し得る。ステップ335で、AP105-bは、STA115-gから肯定応答信号を受信し得る。ACK/NACK信号は、ステップ340で、PERを決定するために使用され得る。PERは、通信品質の指示であり得、ステップ345で、グループバイアスを計算するために使用され得る。シングルユーザバイアスもまた、ステップ345で、グループバイアスを計算するために使用され得る。
【００４９】
ステップ350で、AP105-bは、グループバイアスがしきい値を超えるか否かに基づいて、グループバイアスに関連付けられたMUのグループをスケジュールすることを控えるか、またはブラックリストに載せ得る。AP105-bは、最長時間未使用のアルゴリズムを通してブラックリストを維持し得、すなわち、ブラックリストは、ブラックリスト内のいくつかのグループがしきい値を超えるか否かを決定し得、そうである場合、マルチユーザグループがブラックリストに入れられた順序に基づいて、グループをブラックリストから除去し得る。グループは、ある時間期間後にブラックリストから除去され得る。
【００５０】
図4は、本開示の様々な態様による、SU SNRフィードバックに基づくMU-MIMOレート予測のために構成された、ワイヤレスデバイス400のブロック図を示す。ワイヤレスデバイス400は、図1〜図3を参照しながら説明したAP105の態様の一例であり得る。ワイヤレスデバイス400は、受信機405、MU-MIMOレート予測構成要素410、または送信機415を含み得る。ワイヤレスデバイス400はまた、プロセッサを含み得る。これらの構成要素の各々は、互いに通信中であり得る。
【００５１】
受信機405は、通信リンク420を介して、パケット、ユーザデータ、または様々な情報チャネル(たとえば、制御チャネル、データチャネル、およびSU SNRフィードバックに基づくMU-MIMOレート予測に関する情報など)に関連付けられた制御情報などの情報を受信し得る。受信機405において受信された情報は、通信リンク425を介してMU-MIMOレート予測構成要素410に、およびワイヤレスデバイス400の他の構成要素に渡され得る。
【００５２】
MU-MIMOレート予測構成要素410は、図1において説明したMU-MIMOレート予測構成要素130の一例であり得る。MU-MIMOレート予測構成要素410は、フィードバックSNRと、第1のMCSに基づくSNRとに基づいて、ワイヤレスデバイスのためのシングルユーザバイアスを決定し、フィードバックSNRと、シングルユーザバイアスと、マルチユーザ損失と、グループバイアスとに基づいて、ワイヤレスデバイスのためのマルチユーザSNRを決定し、マルチユーザSNRに基づいて、第2のMCSを選択し得る。たとえば、図2〜図4に示すような構成要素の一実施形態では、MU-MIMOレート予測構成要素410は、これらの機能の各々を達成するための回路または回路構成を含み得る。
【００５３】
送信機415は、通信リンク430を介して、ワイヤレスデバイス400の他の構成要素から受信された信号を送信し得る。送信機415は、通信リンク435を介して信号を送信し得る。いくつかの例では、送信機415は、トランシーバ構成要素内で受信機405とコロケートされ得る。送信機415は、単一のアンテナを含み得るか、またはそれは複数のアンテナを含み得る。いくつかの例では、送信機415は、第2のMCSに基づいて、メッセージをワイヤレスデバイスに送信し得る。
【００５４】
図5は、本開示の様々な態様による、SU SNRフィードバックに基づくMU-MIMOレート予測のためのワイヤレスデバイス500のブロック図を示す。ワイヤレスデバイス500は、図1〜図4を参照しながら説明したワイヤレスデバイス400またはAP105の態様の一例であり得る。ワイヤレスデバイス500は、受信機405-a、MU-MIMOレート予測構成要素410-a、または送信機415-aを含み得る。MU-MIMOレート予測構成要素410-aは、図1において説明したMU-MIMOレート予測構成要素130、および図4において説明したMU-MIMOレート予測構成要素410の一例であり得る。ワイヤレスデバイス500はまた、プロセッサを含み得る。これらの構成要素の各々は、互いに通信中であり得る。MU-MIMOレート予測構成要素410-aはまた、SUバイアス構成要素505と、MU SNR構成要素510と、MCS構成要素515とを含み得る。
【００５５】
受信機405-aは、通信リンク525を介してMU-MIMOレート予測構成要素410-aに、およびワイヤレスデバイス500の他の構成要素に渡され得る情報を、通信リンク520を介して受信し得る。MU-MIMOレート予測構成要素410-aは、図4を参照しながら説明した動作を実行し得る。送信機415-aは、通信リンク530を介してワイヤレスデバイス500の他の構成要素から受信された信号を送信し得る。送信機415-aは、通信リンク535を介して信号を送信し得る。
【００５６】
SUバイアス構成要素505は、図2〜図3を参照しながら説明したように、フィードバックSNRと、第1のMCSに基づくSNRとに基づいて、ワイヤレスデバイスのためのシングルユーザバイアスを決定し得る。いくつかの例では、シングルユーザバイアスは、ワイヤレスデバイスのための前のシングルユーザバイアスと、忘却パラメータとに基づき得る。
【００５７】
マルチユーザSNR構成要素510は、図2〜図3を参照しながら説明したように、フィードバックSNRと、シングルユーザバイアスと、マルチユーザ損失と、グループバイアスとに基づいて、ワイヤレスデバイスのためのマルチユーザSNRを決定し得る。いくつかの例では、マルチユーザSNRは、マルチユーザグループ化損失に基づき得る。MCS構成要素515は、図2〜図3を参照しながら説明したように、マルチユーザSNRに基づいて、第2のMCSを選択し得る。いくつかの例では、第1のMCSは、パケットエラーレートに基づき得る。
【００５８】
たとえば、図2〜図4に示すような構成要素の一実施形態では、シングルユーザバイアス構成要素505、またはMU SNR構成要素510は、これらの機能の各々を達成するための回路または回路構成を含み得る。
【００５９】
図6は、本開示の様々な態様による、SU SNRフィードバックに基づくMU-MIMOレート予測のためのワイヤレスデバイス400またはワイヤレスデバイス500の構成要素であり得る、MU-MIMOレート予測構成要素410-bのブロック図600を示す。MU-MIMOレート予測構成要素410-bは、図1、図4〜図5を参照しながら説明したMU-MIMOレート予測構成要素130、410の態様の一例であり得る。MU-MIMOレート予測構成要素410-bは、SUバイアス構成要素505-aと、MU SNR構成要素510-aと、MCS構成要素515-aとを含み得る。これらの構成要素の各々は、図5を参照しながら説明した機能を実行し得る。MU-MIMOレート予測構成要素410-bはまた、基準信号構成要素605と、フィードバック構成要素610と、グループバイアス構成要素615と、ブラックリスト構成要素620とを含み得る。
【００６０】
基準信号構成要素605は、図2〜図3を参照しながら説明したように、基準信号をワイヤレスデバイスに送信し得る。フィードバック構成要素610は、図2〜図3を参照しながら説明したように、基準信号に基づくワイヤレスデバイスからの圧縮ビームフォーミングフィードバック報告を受信し得、その場合、フィードバックSNRは、圧縮ビームフォーミングフィードバック報告に基づく。
【００６１】
グループバイアス構成要素615は、図2〜図3を参照しながら説明したように、1つまたは複数のパラメータがしきい値を超えると決定し得る。いくつかの例では、グループバイアスは、ワイヤレスデバイスを含むグループのパケットエラーレートに基づき得る。いくつかの例では、グループバイアスは、前のグループバイアスと忘却パラメータとに基づき得る。
【００６２】
ブラックリスト構成要素620は、図2〜図3を参照しながら説明したように、1つまたは複数のパラメータがしきい値を超えるとの決定に基づいて、マルチユーザグループをスケジューリングすることを控え得る。ブラックリスト構成要素620はまた、マルチユーザグループを含むブラックリストを維持し得る。ブラックリスト構成要素620はまた、ブラックリスト内のいくつかのグループがリストしきい値を超えると決定し得る。ブラックリスト構成要素620はまた、マルチユーザグループがブラックリストに入れられた順序に基づいて、マルチユーザグループをブラックリストから除去し得る。
【００６３】
たとえば、図2〜図4に示すような構成要素の一実施形態では、基準信号構成要素605、フィードバック構成要素610、グループバイアス構成要素615、またはブラックリスト構成要素620は、これらの機能の各々を達成するための回路または回路構成を含み得る。
【００６４】
図7は、本開示の様々な態様による、SU SNRフィードバックに基づくMU-MIMOレート予測のために構成されたAP105を含むシステム700の図を示す。具体的には、システム700は、図1、図2、および図4〜図6を参照しながら説明した、ワイヤレスデバイス400、ワイヤレスデバイス500、またはAP105の一例であり得るAP105-cを含み得る。AP105-cは、図1、図4〜図6を参照しながら説明したMU-MIMOレート予測構成要素の一例であり得る、MU-MIMOレート予測構成要素710を含み得る。AP105-cはまた、通信を送信するための構成要素と、通信を受信するための構成要素とを含む、双方向音声およびデータ通信のための構成要素を含み得る。たとえば、AP105-cは、STA115-hまたはSTA115-iと双方向に通信し得る。
【００６５】
AP105-cはまた、プロセッサ705と、(ソフトウェア(SW)720を含む)メモリ715と、トランシーバ735と、1つまたは複数のアンテナ740とを含み得、それらの各々は、(たとえば、バス745を介して)互いに直接または間接的に通信し得る。トランシーバ735は、上記で説明したように、アンテナ740あるいはワイヤードリンクまたはワイヤレスリンクを介して、1つまたは複数のネットワークと双方向に通信し得る。たとえば、トランシーバ735は、別のAP105またはSTA115と双方向に通信し得る。トランシーバ735は、パケットを変調し、変調されたパケットを送信のためにアンテナ740に与え、アンテナ740から受信されたパケットを復調するためのモデムを含み得る。AP105-cは単一のアンテナ740を含み得るが、AP105-cはまた、複数のワイヤレス送信を同時に送信または受信することが可能な複数のアンテナ740を有し得る。
【００６６】
メモリ715は、ランダムアクセスメモリ(RAM)および読取り専用メモリ(ROM)を含み得る。メモリ715は、実行されたとき、本明細書で説明する様々な機能(たとえば、SU SNRフィードバックに基づくMU-MIMOレート予測など)をプロセッサ705に実行させる命令を含む、コンピュータ可読、コンピュータ実行可能ソフトウェア/ファームウェアコード720を記憶し得る。代替的に、ソフトウェア/ファームウェアコード720は、プロセッサ705によって直接的に実行可能でないことがあるが、(たとえば、コンパイルされ実行されたとき)コンピュータに本明細書で説明する機能を実行させ得る。プロセッサ705は、インテリジェントハードウェアデバイス(たとえば、中央処理ユニット(CPU)、マイクロコントローラ、特定用途向け集積回路(ASIC)など)を含み得る。
【００６７】
AP105-cはまた、上記で説明したMU-MIMO動作を可能にし得る、MU-MIMO構成要素725を含み得る。AP105-cはまた、1つまたは複数のSTA115またはSTA115のグループとの通信をスケジュールし得る、スケジューリング構成要素730を含み得る。
【００６８】
ワイヤレスデバイス400、ワイヤレスデバイス500の構成要素、およびMU-MIMOレート予測構成要素130、410、およびシステム700の構成要素は、個別にまたは集合的に、適用可能な機能の一部または全部をハードウェアで実行するように適合される少なくとも1つのASICを用いて実装され得る。代替的に、機能は、1つまたは複数の他の処理ユニット(またはコア)によって、少なくとも1つの集積回路(IC)上で実行され得る。他の例では、当技術分野で知られている任意の様式でプログラムされ得る、他のタイプの集積回路(たとえば、構造化/プラットフォームASIC、フィールドプログラマブルゲートアレイ(FPGA)、または別のセミカスタムIC)が使用され得る。各ユニットの機能はまた、全体的または部分的に、1つまたは複数の汎用または特定用途向けプロセッサによって実行されるようにフォーマットされた、メモリ中に組み込まれた命令を用いて実装され得る。
【００６９】
図8は、本開示の様々な態様による、SU SNRフィードバックに基づくMU-MIMOレート予測のための方法800を示すフローチャートを示す。方法800の動作は、図1〜図7を参照しながら説明したように、AP105またはその構成要素によって実施され得る。たとえば、方法800の動作は、図4〜図7を参照しながら説明したように、MU-MIMOレート予測構成要素410によって実行され得る。いくつかの例では、AP105は、以下で説明する機能を実行するためにAP105の機能要素を制御するためのコードのセットを実行し得る。追加または代替として、AP105は、専用ハードウェアを使用して、以下で説明する機能の態様を実行し得る。
【００７０】
ブロック805で、AP105は、図2〜図3を参照しながら説明したように、フィードバックSNRと、第1のMCSに基づくSNRとに基づいて、ワイヤレスデバイスのためのシングルユーザバイアスを決定し得る。いくつかの例では、ブロック805の動作は、図5を参照しながら説明したように、SUバイアス構成要素505によって実行され得る。
【００７１】
ブロック810で、AP105は、図2〜図3を参照しながら説明したように、フィードバックSNRと、シングルユーザバイアスと、マルチユーザ損失と、グループバイアスとに基づいて、ワイヤレスデバイスのためのマルチユーザSNRを決定し得る。いくつかの例では、ブロック810の動作は、図5を参照しながら説明したように、MU SNR構成要素510によって実行され得る。
【００７２】
ブロック815で、AP105は、図2〜図3を参照しながら説明したように、マルチユーザSNRに基づいて、第2のMCSを選択し得る。いくつかの例では、ブロック815の動作は、図5を参照しながら説明したように、MCS構成要素515によって実行され得る。
【００７３】
図9は、本開示の様々な態様による、SU SNRフィードバックに基づくMU-MIMOレート予測のための方法900を示すフローチャートを示す。方法900の動作は、図1〜図7を参照しながら説明したように、AP105またはその構成要素によって実施され得る。たとえば、方法900の動作は、図4〜図7を参照しながら説明したように、MU-MIMOレート予測構成要素410によって実行され得る。いくつかの例では、AP105は、以下で説明する機能を実行するためにAP105の機能要素を制御するためのコードのセットを実行し得る。追加または代替として、AP105は、専用ハードウェアを使用して、以下で説明する機能の態様を実行し得る。方法900はまた、図8の方法800の態様を組み込み得る。
【００７４】
ブロック905で、AP105は、図2〜図3を参照しながら説明したように、フィードバックSNRと、第1のMCSに基づくSNRとに基づいて、ワイヤレスデバイスのためのシングルユーザバイアスを決定し得る。いくつかの例では、ブロック905の動作は、図5を参照しながら説明したように、SUバイアス構成要素505によって実行され得る。
【００７５】
ブロック910で、AP105は、図2〜図3を参照しながら説明したように、基準信号をワイヤレスデバイスに送信し得る。いくつかの例では、ブロック910の動作は、図6を参照しながら説明したように、基準信号構成要素605によって実行され得る。
【００７６】
ブロック915で、AP105は、図2〜図3を参照しながら説明したように、基準信号に基づくワイヤレスデバイスからの圧縮ビームフォーミングフィードバック報告を受信し得、その場合、フィードバックSNRは、圧縮ビームフォーミングフィードバック報告に基づく。いくつかの例では、ブロック915の動作は、図6を参照しながら説明したように、フィードバック構成要素610によって実行され得る。
【００７７】
ブロック920で、AP105は、図2〜図3を参照しながら説明したように、フィードバックSNRと、シングルユーザバイアスと、マルチユーザ損失と、グループバイアスとに基づいて、ワイヤレスデバイスのためのマルチユーザSNRを決定し得る。いくつかの例では、ブロック920の動作は、図5を参照しながら説明したように、MU SNR構成要素510によって実行され得る。
【００７８】
ブロック925で、AP105は、図2〜図3を参照しながら説明したように、マルチユーザSNRに基づいて、第2のMCSを選択し得る。いくつかの例では、ブロック925の動作は、図5を参照しながら説明したように、MCS構成要素515によって実行され得る。
【００７９】
図10は、本開示の様々な態様による、SU SNRフィードバックに基づくMU-MIMOレート予測のための方法1000を示すフローチャートを示す。方法1000の動作は、図1〜図7を参照しながら説明したように、AP105またはその構成要素によって実施され得る。たとえば、方法1000の動作は、図4〜図7を参照しながら説明したように、MU-MIMOレート予測構成要素410によって実行され得る。いくつかの例では、AP105は、以下で説明する機能を実行するためにAP105の機能要素を制御するためのコードのセットを実行し得る。追加または代替として、AP105は、専用ハードウェアを使用して、以下で説明する機能の態様を実行し得る。方法1000はまた、図8の方法800および図9の方法900の態様を組み込み得る。
【００８０】
ブロック1005で、AP105は、図2〜図3を参照しながら説明したように、フィードバックSNRと、第1のMCSに基づくSNRとに基づいて、ワイヤレスデバイスのためのシングルユーザバイアスを決定し得る。いくつかの例では、ブロック1005の動作は、図5を参照しながら説明したように、SUバイアス構成要素505によって実行され得る。
【００８１】
ブロック1010で、AP105は、図2〜図3を参照しながら説明したように、フィードバックSNRと、シングルユーザバイアスと、マルチユーザ損失と、グループバイアスとに基づいて、ワイヤレスデバイスのためのマルチユーザSNRを決定し得る。いくつかの例では、ブロック1010の動作は、図5を参照しながら説明したように、MU SNR構成要素510によって実行され得る。
【００８２】
ブロック1015で、AP105は、図2〜図3を参照しながら説明したように、マルチユーザSNRに基づいて、第2のMCSを選択し得る。いくつかの例では、ブロック1015の動作は、図5を参照しながら説明したように、MCS構成要素515によって実行され得る。
【００８３】
ブロック1020で、AP105は、図2〜図3を参照しながら説明したように、1つまたは複数のパラメータがしきい値を超えると決定し得る。いくつかの例では、ブロック1020の動作は、図6を参照しながら説明したように、グループバイアス構成要素615によって実行され得る。
【００８４】
ブロック1025で、AP105は、図2〜図3を参照しながら説明したように、1つまたは複数のパラメータがしきい値を超えるとの決定に基づいて、マルチユーザグループをスケジューリングすることを控え得る。いくつかの例では、ブロック1025の動作は、図6を参照しながら説明したように、ブラックリスト構成要素620によって実行され得る。
【００８５】
ブロック1030で、AP105は、図2〜図3を参照しながら説明したように、マルチユーザグループを含むブラックリストを維持し得る。いくつかの例では、ブロック1030の動作は、図6を参照しながら説明したように、ブラックリスト構成要素620によって実行され得る。
【００８６】
ブロック1035で、AP105は、図2〜図3を参照しながら説明したように、ブラックリスト内のいくつかのグループがリストしきい値を超えると決定し得る。いくつかの例では、ブロック1035の動作は、図6を参照しながら説明したように、ブラックリスト構成要素620によって実行され得る。
【００８７】
ブロック1040で、AP105は、図2〜図3を参照しながら説明したように、マルチユーザグループがブラックリストに入れられた順序に基づいて、マルチユーザグループをブラックリストから除去し得る。いくつかの例では、ブロック1040の動作は、図6を参照しながら説明したように、ブラックリスト構成要素620によって実行され得る。
【００８８】
図11は、本開示の様々な態様による、SU SNRフィードバックに基づくMU-MIMOレート予測のための方法1100を示すフローチャートを示す。方法1100の動作は、図1〜図7を参照しながら説明したように、AP105またはその構成要素によって実施され得る。たとえば、方法1100の動作は、図4〜図7を参照しながら説明したように、MU-MIMOレート予測構成要素410によって実行され得る。いくつかの例では、AP105は、以下で説明する機能を実行するためにAP105の機能要素を制御するためのコードのセットを実行し得る。追加または代替として、AP105は、専用ハードウェアを使用して、以下で説明する機能の態様を実行し得る。方法1100はまた、図8〜図10の方法800、900、および1000の態様を組み込み得る。
【００８９】
ブロック1105で、AP105は、図2〜図3を参照しながら説明したように、フィードバックSNRと、第1のMCSに基づくSNRとに基づいて、ワイヤレスデバイスのためのシングルユーザバイアスを決定し得る。いくつかの例では、ブロック1105の動作は、図5を参照しながら説明したように、SUバイアス構成要素505によって実行され得る。
【００９０】
ブロック1110で、AP105は、図2〜図3を参照しながら説明したように、フィードバックSNRと、シングルユーザバイアスと、マルチユーザ損失と、グループバイアスとに基づいて、ワイヤレスデバイスのためのマルチユーザSNRを決定し得る。いくつかの例では、ブロック1110の動作は、図5を参照しながら説明したように、MU SNR構成要素510によって実行され得る。
【００９１】
ブロック1115で、AP105は、図2〜図3を参照しながら説明したように、マルチユーザSNRに基づいて、第2のMCSを選択し得る。いくつかの例では、ブロック1115の動作は、図5を参照しながら説明したように、MCS構成要素515によって実行され得る。
【００９２】
ブロック1120で、AP105は、図2〜図3を参照しながら説明したように、第2のMCSに基づいて、メッセージをワイヤレスデバイスに送信し得る。いくつかの例では、ブロック1120の動作は、図4を参照しながら説明したように、送信機415によって実行され得る。
【００９３】
したがって、方法800、900、1000、および1100は、SU SNRフィードバックに基づくMU-MIMOレート予測を提供し得る。方法800、900、1000、および1100は、可能な実装形態について説明しており、動作およびステップは、他の実装形態が可能であるように再配置、またはさもなければ修正され得ることに留意されたい。いくつかの例では、方法800、900、1000、および1100のうちの2つ以上からの態様が組み合わされ得る。
【００９４】
図12は、本明細書で説明するSU SNRフィードバックに基づくMU-MIMOレート予測のためのプロセスフロー1200を示す。すなわち、プロセスフロー1200は、本明細書で説明するように、フィードバックSNRと他のパラメータとに基づいて、MCSを選択するためのフローを表し得る。選択されたMCSは、シングルユーザバイアスとグループバイアスとに基づき得る。各バイアスは、MCSのためのベースとして使用されており、検出されたエラーのレートを使用して計算されているSNRと、圧縮フィードバック報告を使用して計算されたMCSとの間の差分を表し得る。
【００９５】
第1のMCS1205は、STA115およびAP105との(または、他のワイヤレスデバイス間の)通信のために使用される現在のMCSに基づき得る。第1のMCS1205は、STA115との通信について検出されたPERに基づき得る。MCSルックアップテーブル(LUT)1210は、第1のMCS1205に基づいて、第1のSNR1215を決定するために使用され得る。
【００９６】
忘却パラメータ1220、またはαは、ある計算期間から次の計算期間までに予測シングルユーザバイアスがどれだけ変化するかを修正するために使用される、パラメータを表し得る。すなわち、シングルユーザバイアスのための新しい推定値は、αによって乗算され得、既存のシングルユーザバイアス(すなわち、現在の計算に対して、前のシングルユーザバイアス1218)は、係数(1-α)によって乗算され得る。そのため、たとえば、αが1である場合、新しいシングルユーザバイアスは、新しい推定値に基づき得るのに対して、αが0である場合、新しい推定値は、既存のバイアスと同じになる。αが0.5である場合、新しい推定値および前のバイアスの平均が、新しいバイアスのために使用されることになる。
【００９７】
圧縮ビームフォーミング報告1225は、ビームフォーマ(すなわち、STA115)に与えられるビームフォーミー(すなわち、STA115)のアンテナについての位相情報を表し得る。圧縮ビームフォーミング報告1225は、AP105によってSTA115に送信された基準信号に基づき得る。圧縮ビームフォーミング報告1225は、フィードバックSNR1230を計算するために使用され得る。
【００９８】
第1のSNR1215、前のシングルユーザバイアス1218、忘却パラメータ1220、およびフィードバックSNR1230は、図2を参照しながら上記で説明したアルゴリズムに従って、シングルユーザバイアス1235を計算するために使用され得る。
【００９９】
グループPER1240は、STA115のグループのためのビームフォーミング構成を使用して送信する間の、パケットエラーの測定数を表し得る。グループバイアス1245は、グループPER1240に基づいて計算され得る。マルチユーザLUT1250もまた、マルチユーザ損失1255を識別するために使用され得る。次いで、マルチユーザ損失1255は、グループバイアス1245、シングルユーザバイアス1235、およびフィードバックSNR1230と組み合わせられて、マルチユーザSNR1260が計算され得る。次いで、マルチユーザSNR1260は、第2のMCS1265を決定するために使用され得る。場合によっては、第2のMCS1265は、第1のMCS1205の使用と比較して、STA115とAP105との間の改善された通信効率を生じ得る。すなわち、それによって、より高いMCSが使用されることを可能にし、それによって、スループットを増大させ得るか、または、より低いMCSが、エラーレートを減少させるために使用され得る。
【０１００】
本明細書の説明は、例を提示するものであり、特許請求の範囲に記載された範囲、適用性、または例を限定するものではない。本開示の範囲から逸脱することなく、説明される要素の機能および構成において変更が行われ得る。様々な例は、適宜に様々な手順または構成要素を省略、置換、または追加し得る。また、いくつかの例に関して説明される特徴は、他の例において組み合わされ得る。
【０１０１】
添付の図面に関して本明細書に記載した説明は、例示的な構成について説明しており、実装され得るまたは特許請求の範囲内に入るすべての例を表すとは限らない。本明細書で使用する「例示的」という用語は、「例、事例、または例示として役立つ」ことを意味し、「好ましい」または「他の例よりも有利な」を意味するものではない。詳細な説明は、説明した技法を理解することを目的とした具体的な詳細を含む。ただし、これらの技法は、これらの具体的な詳細なしに実践され得る。いくつかの事例では、説明した例の概念を不明瞭にすることを避けるために、よく知られている構造およびデバイスがブロック図の形で示されている。
【０１０２】
添付の図面では、同様の構成要素または特徴は、同じ参照ラベルを有することがある。さらに、同じタイプの様々な構成要素は、参照ラベルの後に、ダッシュと、同様の構成要素の間で区別する第2のラベルとを続けることによって区別されることがある。第1の参照ラベルのみが本明細書において使用される場合、その説明は、第2の参照ラベルにかかわらず、同じ第1の参照ラベルを有する同様の構成要素のうちのいずれか1つに適用可能である。
【０１０３】
本明細書で説明した情報および信号は、多種多様な技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１０４】
本明細書の開示に関して説明した様々な例示的なブロックおよび構成要素は、汎用プロセッサ、デジタル信号プロセッサ(DSP)、ASIC、FPGAもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであり得るが、代替として、プロセッサは、任意のプロセッサ、コントローラ、マイクロコントローラ、または状態機械であり得る。プロセッサはまた、コンピューティングデバイスの組合せ(たとえば、デジタル信号プロセッサ(DSP)とマイクロプロセッサとの組合せ、複数のマイクロプロセッサ、DSPコアと連携する1つもしくは複数のマイクロプロセッサ、または任意の他のそのような構成)として実装され得る。
【０１０５】
本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとしてコンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理ロケーションにおいて機能の部分が実装されるように分散されることを含めて、様々な位置に物理的に配置され得る。また、特許請求の範囲内を含めて、本明細書で使用する場合、項目のリスト(たとえば、「のうちの少なくとも1つ」または「のうちの1つまたは複数」などの句で終わる項目のリスト)内で使用される「または」は、たとえば、A、B、またはCのうちの少なくとも1つのリストが、AまたはBまたはCまたはABまたはACまたはBCまたはABC(すなわち、AおよびBおよびC)を意味するような包括的リストを示す。
【０１０６】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMもしくは他の光ディスクストレージ、磁気ディスクストレージもしくは他の磁気ストレージデバイス、または命令もしくはデータ構造の形態の所望のプログラムコード手段を担持もしくは記憶するために使用することができ、汎用コンピュータもしくは専用コンピュータまたは汎用プロセッサもしくは専用プロセッサによってアクセスすることができる任意の他の非一時的媒体を含むことができる。また、いかなる接続もコンピュータ可読媒体と呼ばれ得る。たとえば、ソフトウェアが、同軸ケーブル、光ファイバーケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線(DSL)、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０１０７】
本明細書における説明は、当業者が本開示を作成または使用することを可能にするために与えられる。本開示への様々な変更は当業者には容易に明らかとなり、本明細書で定義された一般原理は、本開示の範囲から逸脱することなく他の変形形態に適用され得る。したがって、本開示は、本明細書で説明する例および設計に限定されるべきではなく、本明細書で開示する原理および新規の特徴と一致する最も広い範囲が与えられるべきである。
【符号の説明】
【０１０８】
100  ワイヤレスローカルエリアネットワーク(WLAN)、WLAN
105  AP、アクセスポイント
105-a、105-b、105-c  AP
110  カバレージエリア
115  STA、局
115-a、115-b、115-c、115-d、115-e、115-f、115-g、115-h、115-i  STA
120  ワイヤレスリンク
125  直接ワイヤレスリンク
130、410、410-a、410-b、710  MU-MIMOレート予測構成要素
200  ワイヤレス通信サブシステム
205、205-a、205-b  MU-MIMOグループ
400、500  ワイヤレスデバイス
405、405-a  受信機
415、415-a  送信機
420、425、430、435、520、525、530、535  通信リンク
505  SUバイアス構成要素、シングルユーザバイアス構成要素
505-a  SUバイアス構成要素
510  MU SNR構成要素、マルチユーザSNR構成要素
510-a  MU SNR構成要素
515、515-a  MCS構成要素
605  基準信号構成要素
610  フィードバック構成要素
615  グループバイアス構成要素
620  ブラックリスト構成要素
700  システム
705  プロセッサ
715  メモリ
720  ソフトウェア(SW)、コンピュータ可読、コンピュータ実行可能ソフトウェア/ファームウェアコード、ソフトウェア/ファームウェアコード
725  MU-MIMO構成要素
730  スケジューリング構成要素
735  トランシーバ
740  アンテナ
745  バス
1205  第1のMCS
1210  MCSルックアップテーブル(LUT)
1215  第1のSNR
1218  前のシングルユーザバイアス
1220  忘却パラメータ
1225  圧縮ビームフォーミング報告
1230  フィードバックSNR
1235  シングルユーザバイアス
1240  グループPER
1245  グループバイアス
1250  マルチユーザLUT
1255  マルチユーザ損失
1260  マルチユーザSNR
1265  第2のMCS
【図１】
2018534821.tif 000003
【図２】
2018534821.tif 000004
【図３】
2018534821.tif 000005
【図４】
2018534821.tif 000006
【図５】
2018534821.tif 000007
【図６】
2018534821.tif 000008
【図７】
2018534821.tif 000009
【図８】
2018534821.tif 000010
【図９】
2018534821.tif 000011
【図１０】
2018534821.tif 000012
【図１１】
2018534821.tif 000013
【図１２】
2018534821.tif 000014
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
マルチユーザ多入力多出力(MU-MIMO)動作を利用するシステムにおけるワイヤレス通信の方法であって、
フィードバック信号対雑音比(SNR)とレート制御SNRとの間の差分に少なくとも部分的に基づいて、ワイヤレスデバイスのためのシングルユーザバイアスを決定するステップであって、前記フィードバックSNRが、前記MU-MIMO動作に関連付けられた圧縮ビームフォーミングフィードバック報告に少なくとも部分的に基づき、前記レート制御SNRが、通信のために現在使用される第1の変調およびコーディング方式(MCS)に少なくとも部分的に基づき、前記シングルユーザバイアスが、シングルユーザのSNRに少なくとも部分的に基づくSNRオフセットを含み、前記シングルユーザの前記SNRが、前記フィードバックSNRおよび前記レート制御SNRのうちの少なくとも1つを含む、ステップと、
前記フィードバックSNRと、前記シングルユーザバイアスと、前記MU-MIMO動作のマルチユーザグループに関連付けられた1つまたは複数のパラメータとに少なくとも部分的に基づいて、マルチユーザSNRを決定するステップと、
前記マルチユーザSNRに少なくとも部分的に基づいて、第2のMCSを選択するステップと
を含む方法。
【請求項２】
基準信号を前記ワイヤレスデバイスに送信するステップと、
前記基準信号に少なくとも部分的に基づく前記ワイヤレスデバイスからの前記圧縮ビームフォーミングフィードバック報告を受信するステップと
をさらに含む、請求項1に記載の方法。
【請求項３】
前記1つまたは複数のパラメータがしきい値を超えると決定するステップと、
前記1つまたは複数のパラメータが前記しきい値を超えるとの前記決定に少なくとも部分的に基づいて、前記マルチユーザグループをスケジューリングすることを控えるステップと
をさらに含む、請求項1に記載の方法。
【請求項４】
前記マルチユーザグループを含むブラックリストを維持するステップと、
前記ブラックリスト内のいくつかのグループがリストしきい値を超えると決定するステップと、
前記マルチユーザグループが前記ブラックリストに入れられた順序に少なくとも部分的に基づいて、前記マルチユーザグループを前記ブラックリストから除去するステップと
をさらに含む、請求項3に記載の方法。
【請求項５】
前記第2のMCSに少なくとも部分的に基づいて、メッセージを前記ワイヤレスデバイスに送信するステップ
をさらに含む、請求項1に記載の方法。
【請求項６】
前記シングルユーザバイアスが、前のシングルユーザバイアスと、忘却パラメータに従って重み付けされた、更新されたシングルユーザバイアス推定値との組合せに少なくとも部分的に基づく、請求項1に記載の方法。
【請求項７】
前記第1のMCSが、前記ワイヤレスデバイスとの通信について検出されたパケットエラーレートに少なくとも部分的に基づく、請求項1に記載の方法。
【請求項８】
前記マルチユーザSNRが、マルチユーザグループ化損失に少なくとも部分的に基づく、請求項1に記載の方法。
【請求項９】
前記1つまたは複数のパラメータが、前記マルチユーザグループのパケットエラーレートに少なくとも部分的に基づくグループバイアスを含む、請求項1に記載の方法。
【請求項１０】
前記1つまたは複数のパラメータが、前のグループバイアスと忘却パラメータとに少なくとも部分的に基づくグループバイアスを含む、請求項1に記載の方法。
【請求項１１】
ワイヤレス通信のための装置であって、
フィードバック信号対雑音比(SNR)とレート制御SNRとの間の差分に少なくとも部分的に基づいて、ワイヤレスデバイスのためのシングルユーザバイアスを決定するための、シングルユーザバイアス構成要素であって、前記フィードバックSNRが、マルチユーザ多入力多出力(MU-MIMO)動作に関連付けられた圧縮ビームフォーミングフィードバック報告に少なくとも部分的に基づき、前記レート制御SNRが、通信のために現在使用される第1のMCSに少なくとも部分的に基づき、前記シングルユーザバイアスが、シングルユーザのSNRに少なくとも部分的に基づくSNRオフセットを含み、前記シングルユーザの前記SNRが、前記フィードバックSNRおよび前記レート制御SNRのうちの少なくとも1つを含む、シングルユーザバイアス構成要素と、
前記フィードバックSNRと、前記シングルユーザバイアスと、前記MU-MIMO動作のマルチユーザグループに関連付けられた1つまたは複数のパラメータとに少なくとも部分的に基づいて、マルチユーザSNRを決定するための、マルチユーザSNR構成要素と、
前記マルチユーザSNRに少なくとも部分的に基づいて、第2のMCSを選択するための、変調およびコーディング方式構成要素と
を備える装置。
【請求項１２】
基準信号を前記ワイヤレスデバイスに送信するための基準信号構成要素と、
前記基準信号に少なくとも部分的に基づく前記ワイヤレスデバイスからの前記圧縮ビームフォーミングフィードバック報告を受信するための、フィードバック構成要素と
をさらに備える、請求項11に記載の装置。
【請求項１３】
前記1つまたは複数のパラメータがしきい値を超えると決定するためのグループバイアス構成要素と、
前記1つまたは複数のパラメータが前記しきい値を超えるとの前記決定に少なくとも部分的に基づいて、前記マルチユーザグループをスケジューリングすることを控えるための、ブラックリスト構成要素と
をさらに備える、請求項11に記載の装置。
【請求項１４】
前記マルチユーザグループを含むブラックリストを維持するための、前記ブラックリスト構成要素と、
前記ブラックリスト内のいくつかのグループがリストしきい値を超えると決定するための、前記ブラックリスト構成要素と、
前記マルチユーザグループが前記ブラックリストに入れられた順序に少なくとも部分的に基づいて、前記マルチユーザグループを前記ブラックリストから除去するための、前記ブラックリスト構成要素と
をさらに備える、請求項13に記載の装置。
【請求項１５】
ワイヤレス通信のための装置であって、
フィードバック信号対雑音比(SNR)とレート制御SNRとの間の差分に少なくとも部分的に基づいて、ワイヤレスデバイスのためのシングルユーザバイアスを決定するための手段であって、前記フィードバックSNRが、マルチユーザ多入力多出力(MU-MIMO)動作に関連付けられた圧縮ビームフォーミングフィードバック報告に少なくとも部分的に基づき、前記レート制御SNRが、通信のために現在使用される第1のMCSに少なくとも部分的に基づき、前記シングルユーザバイアスが、シングルユーザのSNRに少なくとも部分的に基づくSNRオフセットを含み、前記シングルユーザの前記SNRが、前記フィードバックSNRおよび前記レート制御SNRのうちの少なくとも1つを含む、手段と、
前記フィードバックSNRと、前記シングルユーザバイアスと、前記MU-MIMO動作のマルチユーザグループに関連付けられた1つまたは複数のパラメータとに少なくとも部分的に基づいて、マルチユーザSNRを決定するための手段と、
前記マルチユーザSNRに少なくとも部分的に基づいて、第2のMCSを選択するための手段と
を備える装置。
【請求項１６】
基準信号を前記ワイヤレスデバイスに送信するための手段と、
前記基準信号に少なくとも部分的に基づく前記ワイヤレスデバイスからの前記圧縮ビームフォーミングフィードバック報告を受信するための手段と
をさらに備える、請求項15に記載の装置。
【請求項１７】
前記1つまたは複数のパラメータがしきい値を超えると決定するための手段と、
前記1つまたは複数のパラメータが前記しきい値を超えるとの前記決定に少なくとも部分的に基づいて、前記マルチユーザグループをスケジューリングすることを控えるための手段と
をさらに備える、請求項15に記載の装置。
【請求項１８】
前記マルチユーザグループを含むブラックリストを維持するための手段と、
前記ブラックリスト内のいくつかのグループがリストしきい値を超えると決定するための手段と、
前記マルチユーザグループが前記ブラックリストに入れられた順序に少なくとも部分的に基づいて、前記マルチユーザグループを前記ブラックリストから除去するための手段と
をさらに備える、請求項17に記載の装置。
【請求項１９】
前記第2のMCSに少なくとも部分的に基づいて、メッセージを前記ワイヤレスデバイスに送信するための手段
をさらに備える、請求項15に記載の装置。
【請求項２０】
前記シングルユーザバイアスが、前のシングルユーザバイアスと、忘却パラメータに従って重み付けされた、更新されたシングルユーザバイアス推定値との組合せに少なくとも部分的に基づく、請求項15に記載の装置。
【請求項２１】
前記第1のMCSが、前記ワイヤレスデバイスとの通信について検出されたパケットエラーレートに少なくとも部分的に基づく、請求項15に記載の装置。
【請求項２２】
前記マルチユーザSNRが、マルチユーザグループ化損失に少なくとも部分的に基づく、請求項15に記載の装置。
【請求項２３】
前記1つまたは複数のパラメータが、前記マルチユーザグループのパケットエラーレートに少なくとも部分的に基づくグループバイアスを含む、請求項15に記載の装置。
【請求項２４】
前記1つまたは複数のパラメータが、前のグループバイアスと忘却パラメータとに少なくとも部分的に基づくグループバイアスを含む、請求項15に記載の装置。
【請求項２５】
ワイヤレス通信のためのコードを記憶する非一時的コンピュータ可読記録媒体であって、前記コードが、
フィードバック信号対雑音比(SNR)とレート制御SNRとの間の差分に少なくとも部分的に基づいて、ワイヤレスデバイスのためのシングルユーザバイアスを決定することであって、前記フィードバックSNRが、マルチユーザ多入力多出力(MU-MIMO)動作に関連付けられた圧縮ビームフォーミングフィードバック報告に少なくとも部分的に基づき、前記レート制御SNRが、通信のために現在使用される第1のMCSに少なくとも部分的に基づき、前記シングルユーザバイアスが、シングルユーザのSNRに少なくとも部分的に基づくSNRオフセットを含み、前記シングルユーザの前記SNRが、前記フィードバックSNRおよび前記レート制御SNRのうちの少なくとも1つを含む、決定すること、
前記フィードバックSNRと、前記シングルユーザバイアスと、前記MU-MIMO動作のマルチユーザグループに関連付けられた1つまたは複数のパラメータとに少なくとも部分的に基づいて、マルチユーザSNRを決定すること、ならびに
前記マルチユーザSNRに少なくとも部分的に基づいて、第2のMCSを選択すること
を行うために実行可能な命令を備える、非一時的コンピュータ可読記録媒体。
【請求項２６】
前記命令が、
基準信号を前記ワイヤレスデバイスに送信すること、および
前記基準信号に少なくとも部分的に基づく前記ワイヤレスデバイスからの前記圧縮ビームフォーミングフィードバック報告を受信すること
を行うために実行可能である、請求項25に記載の非一時的コンピュータ可読記録媒体。
【請求項２７】
前記命令が、
前記1つまたは複数のパラメータがしきい値を超えると決定すること、および
前記1つまたは複数のパラメータが前記しきい値を超えるとの前記決定に少なくとも部分的に基づいて、前記マルチユーザグループをスケジューリングすることを控えること
を行うために実行可能である、請求項25に記載の非一時的コンピュータ可読記録媒体。
【請求項２８】
前記命令が、
前記マルチユーザグループを含むブラックリストを維持すること、
前記ブラックリスト内のいくつかのグループがリストしきい値を超えると決定すること、および
前記マルチユーザグループが前記ブラックリストに入れられた順序に少なくとも部分的に基づいて、前記マルチユーザグループを前記ブラックリストから除去すること
を行うために実行可能である、請求項27に記載の非一時的コンピュータ可読記録媒体。
【請求項２９】
前記命令が、
前記第2のMCSに少なくとも部分的に基づいて、メッセージを前記ワイヤレスデバイスに送信すること
を行うために実行可能である、請求項25に記載の非一時的コンピュータ可読記録媒体。
【請求項３０】
前記シングルユーザバイアスが、前のシングルユーザバイアスと、忘却パラメータに従って重み付けされた、更新されたシングルユーザバイアス推定値との組合せに少なくとも部分的に基づく、請求項25に記載の非一時的コンピュータ可読記録媒体。
【国際調査報告】
2018534821.tif 000015
2018534821.tif 000016
2018534821.tif 000017